(57)【要約】【課題】蓋体をホルダー本体に対して繰り返し押してメモ用紙の枚数の増減にかかわらず最上層のメモ用紙を一枚づつかつ次第に繰り出させる。【解決手段】一端にメモ用紙排出口を有し、複数枚のメモ用紙Ｐを収納可能なメモ用紙収納部３を備えたホルダー本体１と、ホルダー本体１に開閉可能に軸支された蓋体２とを備え、ホルダー本体１と蓋体２との間に位置し、蓋体を閉じた時に離間する方向に付勢し、かつ蓋体２とホルダー本体１間に間隙を形成する付勢部材７を備え、蓋体２は、内面側に設けられた支持部９に一端が軸支され、メモ用紙排出口方向に回動可能なアーム部材１０と、アーム部材の他端に一端が軸支された回動部材１５とを備え、回動部材１５は、回動部材の前記一端側に設けられ、高摩擦抵抗部１９と、一端側から他端側に延びかつ下方に膨出する紙押え部１８とを備えたメモ用紙繰出機能を有するメモ用紙ホルダー【選択図】図１
0003147441.tif 000002
【実用新案登録請求の範囲】
【請求項１】
一端にメモ用紙排出口を有し、複数枚のメモ用紙を収納可能なメモ用紙収納部を備えたホルダー本体と、前記ホルダー本体に開閉可能に軸支された蓋体とを備えるメモ用紙ホルダーであって、
前記メモ用紙ホルダーは、前記ホルダー本体と前記蓋体との間に位置し、前記蓋体を閉じた時に、前記蓋体が前記ホルダー本体より離間する方向に付勢し、かつ、前記蓋体と前記ホルダー本体の周縁部に間隙を形成する付勢部材を備え、
前記蓋体は、内面側に設けられた支持部に一端が軸支され、かつ、前記メモ用紙排出口方向に回動可能なアーム部材と、前記アーム部材の他端に一端が軸支された回動部材とを備え、該回動部材は、該回動部材の前記一端側に設けられ、前記メモ用紙との接触時に高い摩擦抵抗を示す高摩擦抵抗部と、前記一端側から前記他端側に延びかつ下方に膨出する紙押え部とを備え、前記蓋体を閉じた状態にて、前記蓋体を前記ホルダー本体方向に押すことにより、前記メモ用紙収容部に収納されている前記複数枚のメモ用紙の最上層のメモ用紙を前記メモ用紙排出口方向に送り出すメモ用紙繰出機能を有することを特徴とするメモ用紙繰出機能付きメモ用紙ホルダー。
【請求項２】
前記メモ用紙ホルダーは、前記蓋体を閉じた時、前記アーム部材に軸支された前記回動部材の前記高摩擦抵抗部が前記メモ用紙収容部に収納された前記最上層のメモ用紙の上面に接触するとともに前記紙押え部も前記最上層のメモ用紙に接触し、前記蓋体を前記付勢部材に抗して前記ホルダー本体方向に押下することにより前記アーム部材が回動するとともに、前記回動部材の前記高摩擦抵抗部が前記メモ用紙収容部に収納されている最上層のメモ用紙に当接した状態にて前記メモ用紙排出口方向に移動し、前記メモ用紙収容部に収納されている最上層のメモ用紙を前記高摩擦抵抗部の移動距離分繰り出すものであり、かつ、前記蓋体の前記ホルダー本体方向への押下を解除することにより、前記メモ用紙の繰り出し状態が維持されるものである請求項１に記載のメモ用紙繰出機能付きメモ用紙ホルダー。
【請求項３】
前記回動部材は、前記一端側に形成された薄肉部と、該薄肉部と連続して前記他端側に延び、かつ前記メモ用紙との接触面側に膨出する前記紙押え部を備えるものであり、前記高摩擦抵抗部は、前記薄肉部の前記メモ用紙との接触面側に設けられており、前記紙押え部は、所定幅を有し、かつ前記メモ用紙との接触面側に設けられた円弧状表面を備えている請求項１または２に記載のメモ用紙繰出機能付きメモ用紙ホルダー。
【請求項４】
前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するものである請求項１ないし３のいずれかに記載のメモ用紙繰出機能付きメモ用紙ホルダー。
【請求項５】
前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するとともに、前記メモ用紙排出口側に押された前傾姿勢となるものである請求項１ないし３のいずれかに記載のメモ用紙繰出機能付きメモ用紙ホルダー。
【請求項６】
前記付勢部材は、ばね部材であり、一端側が前記ホルダー本体に固定され、他端側が前記蓋体内面に当接可能な自由端となっている請求項１ないし５のいずれかに記載のメモ用紙繰出機能付きメモ用紙ホルダー。
【請求項７】
前記蓋体は、前記メモ用紙排出口と対向する位置にて、前記ホルダー本体に開閉可能に軸支されている請求項１ないし６のいずれかに記載のメモ用紙繰出機能付きメモ用紙ホルダー。
【請求項８】
前記アーム部材は、前記一端に前記支持部に当接可能なストッパー面を備え、該ストッパー面が前記支持部に当接した位置より前記メモ用紙排出口方向側に回動可能である請求項１ないし７のいずれかに記載のメモ用紙繰出機能付きメモ用紙ホルダー。
【請求項９】
前記蓋体は、該蓋体を開いた時、前記ホルダー本体に対して起立可能となっている請求項１ないし８のいずれかに記載のメモ用紙繰出機能付きメモ用紙ホルダー。
【請求項１０】
前記蓋体は、中央に膨出部を有し、該膨出部の内面に前記アーム部材の一端を軸支する前記支持部を備えている請求項１ないし９のいずれかに記載のメモ用紙繰出機能付きメモ用紙ホルダー。
【請求項１１】
前記高摩擦抵抗部は、ゴムもしくは高摩擦抵抗表面を有するエラストマーにより形成されている請求項１ないし１０のいずれかに記載のメモ用紙繰出機能付きメモ用紙ホルダー。
【請求項１２】
前記蓋体は、図案化された形態および／または表面に図案が付されたものとなっている請求項１ないし１１のいずれかに記載のメモ用紙繰出機能付きメモ用紙ホルダー。
【請求項１３】
前記ホルダー本体は、前記メモ用紙排出口を閉塞せず、かつ前記回動部材の前記最上層のメモ用紙への接触および前記アーム部材の回動を阻害しないように設けられた覆い片を有し、該覆い片は、図案化された形態および／または表面に図案が付されたものとなっている請求項１ないし１２のいずれかに記載のメモ用紙繰出機能付きメモ用紙ホルダー。
【請求項１４】
一端にメモ用紙排出口を有し、複数枚のメモ用紙を収納可能なメモ用紙収納部を備えたホルダー本体と、前記ホルダー本体に開閉可能に軸支された蓋体とを備えるメモ用紙ホルダーであって、
前記メモ用紙ホルダーは、前記ホルダー本体と前記蓋体との間に位置し、前記蓋体を閉じた時に、前記蓋体が前記ホルダー本体より離間する方向に付勢し、かつ、前記蓋体と前記ホルダー本体の周縁部に間隙を形成する付勢部材を備え、
前記蓋体は、内面側に設けられた支持部に一端が軸支され、かつ、前記メモ用紙排出口方向に回動可能なアーム部材と、前記アーム部材の他端に一端が軸支された回動部材とを備え、該回動部材は、該回動部材の前記一端側に設けられ、前記メモ用紙との接触時に高い摩擦抵抗を示す高摩擦抵抗部と、前記一端側から前記他端側に延びかつ下方に膨出する紙押え部とを備え、
前記回動部材は、前記一端側に形成された薄肉部と、該薄肉部と連続して前記他端側に延び、かつ前記メモ用紙との接触面側に膨出する前記紙押え部を備えるものであり、前記高摩擦抵抗部は、前記薄肉部の前記メモ用紙との接触面側に設けられており、前記紙押え部は、所定幅を有し、かつ前記メモ用紙との接触面側に設けられた円弧状表面を備え、かつ、前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するものであり、
前記メモ用紙ホルダーは、前記蓋体を閉じた時、前記アーム部材に軸支された前記回動部材の前記高摩擦抵抗部が前記メモ用紙収容部に収納された前記最上層のメモ用紙の上面に接触するとともに前記紙押え部も前記最上層のメモ用紙に接触し、前記蓋体を前記付勢部材に抗して前記ホルダー本体方向に押下することにより前記アーム部材が回動するとともに、前記回動部材の前記高摩擦抵抗部が前記メモ用紙収容部に収納されている最上層のメモ用紙に当接した状態にて前記メモ用紙排出口方向に移動し、前記メモ用紙収容部に収納されている最上層のメモ用紙を前記高摩擦抵抗部の移動距離分繰り出すものであり、かつ、前記蓋体の前記ホルダー本体方向への押下を解除することにより、前記メモ用紙の繰り出し状態が維持されるものであることを特徴とするメモ用紙繰出機能付きメモ用紙ホルダー。
【請求項１５】
前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するとともに、前記メモ用紙排出口側に押された前傾姿勢となるものである請求項１４に記載のメモ用紙繰出機能付きメモ用紙ホルダー。
【請求項１６】
前記アーム部材は、前記一端に前記支持部に当接可能なストッパー面を備え、該ストッパー面が前記支持部に当接した位置より前記メモ用紙排出口方向側に回動可能である請求項１４または１５に記載のメモ用紙繰出機能付きメモ用紙ホルダー。
【考案の詳細な説明】
【技術分野】
【０００１】
この考案は、蓋体を繰り返し押圧してメモ用紙を収納したホルダー本体より一枚づつかつ次第に繰り出すメモ用紙繰出機能付きメモ用紙ホルダーに関する。
【背景技術】
【０００２】
従来、この種のメモ用紙収納器として、メモ用紙を収納するケースに取出し口を設け、ケースの後部から取出し口側へ延出するばね部材をケースの後部にて片持ち支持し、ばね部材の先端側にはメモ用紙上に押接するキャッチ部材を止着すると共に、ばね部材の押し下げによってキャッチ部材をメモ用紙に押接した状態から取出し口側へ移動するようにばね部材の形状を設定したもの、すなわち片持ち支持したばね部材が山形に屈曲され、蓋に窓が設けられ、ばね部材の先端部が窓からケース内に挿入され、ばね部材のケース内に入り込んだ先端部にゴム製キャッチ片が止着され、ばね部材の先端部がメモ用紙に臨ませてあるものが案出されている（特許文献１参照）。
【０００３】
【特許文献１】実開平３−８１７８３号公報
【考案の開示】
【考案が解決しようとする課題】
【０００４】
特許文献１のメモ用紙収納器は、ケースの取出し口よりメモ用紙を内部のメモ用紙収納部に入れるときに、ばね部材がケースの窓を通じてケース内に突出しているためにメモ用紙挿入の邪魔となり、ばね部材をケースの窓より外方へ引っ張った状態でメモ用紙を挿入しなければならならい。従って、メモ用紙をメモ用紙収納部に挿入しにくい問題があった。
また、ばね部材の先端のキャッチ部材だけでキャッチして繰り出すので、キャッチ部材が用紙に当たる角度によっては接地面が少なく、滑って繰り出せないことがある。さらに、ばね部材を山形の形状に折り曲げてその中央部を押し下げてメモ用紙を繰り出すので、ばね部材の先端のゴム製キャッチ片がメモ用紙が多いときには一枚づつ繰り出しできるが、メモ用紙の枚数が少なくなると、ばね部材を押し付ける力が段々強くなり、その結果、ばね部材でメモ用紙を下方へ押し付ける力がメモ用紙を前方へ繰り出す力より大きくなり、メモ用紙に押し付けるだけで、メモ用紙の繰り出しができなくなるという問題も生じていた。
【０００５】
この考案は、このような問題点を解消するために、蓋体にアーム部材を回動可能に備え、該アーム部材に回動部材が回動自由に軸支され、蓋体をホルダー本体に対して押圧するとき、アーム部材のメモ用紙排出口方向への回動と、回動部材の高摩擦抵抗部と紙押え部との相乗作用によりメモ用紙の枚数の増減にかかわらず複数のメモ用紙の最上層のメモ用紙を一枚づつかつ次第に繰り出させることができるメモ用紙繰出機能付きメモ用紙ホルダーを提供することを目的とする。
【課題を解決するための手段】
【０００６】
上記目的を達成するものは、以下のものである。
（１） 一端にメモ用紙排出口を有し、複数枚のメモ用紙を収納可能なメモ用紙収納部を備えたホルダー本体と、前記ホルダー本体に開閉可能に軸支された蓋体とを備えるメモ用紙ホルダーであって、前記メモ用紙ホルダーは、前記ホルダー本体と前記蓋体との間に位置し、前記蓋体を閉じた時に、前記蓋体が前記ホルダー本体より離間する方向に付勢し、かつ、前記蓋体と前記ホルダー本体の周縁部に間隙を形成する付勢部材を備え、前記蓋体は、内面側に設けられた支持部に一端が軸支され、かつ、前記メモ用紙排出口方向に回動可能なアーム部材と、前記アーム部材の他端に一端が軸支された回動部材とを備え、該回動部材は、該回動部材の前記一端側に設けられ、前記メモ用紙との接触時に高い摩擦抵抗を示す高摩擦抵抗部と、前記一端側から前記他端側に延びかつ下方に膨出する紙押え部とを備え、前記蓋体を閉じた状態にて、前記蓋体を前記ホルダー本体方向に押すことにより、前記メモ用紙収容部に収納されている前記複数枚のメモ用紙の最上層のメモ用紙を前記メモ用紙排出口方向に送り出すメモ用紙繰出機能を有するメモ用紙繰出機能付きメモ用紙ホルダー。
【０００７】
（２）  前記メモ用紙ホルダーは、前記蓋体を閉じた時、前記アーム部材に軸支された前記回動部材の前記高摩擦抵抗部が前記メモ用紙収容部に収納された前記最上層のメモ用紙の上面に接触するとともに前記紙押え部も前記最上層のメモ用紙に接触し、前記蓋体を前記付勢部材に抗して前記ホルダー本体方向に押下することにより前記アーム部材が回動するとともに、前記回動部材の前記高摩擦抵抗部が前記メモ用紙収容部に収納されている最上層のメモ用紙に当接した状態にて前記メモ用紙排出口方向に移動し、前記メモ用紙収容部に収納されている最上層のメモ用紙を前記高摩擦抵抗部の移動距離分繰り出すものであり、かつ、前記蓋体の前記ホルダー本体方向への押下を解除することにより、前記メモ用紙の繰り出し状態が維持されるものである上記（１）に記載のメモ用紙繰出機能付きメモ用紙ホルダー。
【０００８】
（３）  前記回動部材は、前記一端側に形成された薄肉部と、該薄肉部と連続して前記他端側に延び、かつ前記メモ用紙との接触面側に膨出する前記紙押え部を備えるものであり、前記高摩擦抵抗部は、前記薄肉部の前記メモ用紙との接触面側に設けられており、前記紙押え部は、所定幅を有し、かつ前記メモ用紙との接触面側に設けられた円弧状表面を備えている上記（１）または（２）に記載のメモ用紙繰出機能付きメモ用紙ホルダー。
（４）  前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するものである上記（１）ないし（３）のいずれかに記載のメモ用紙繰出機能付きメモ用紙ホルダー。
（５）  前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するとともに、前記メモ用紙排出口側に押された前傾姿勢となるものである上記（１）ないし（３）のいずれかに記載のメモ用紙繰出機能付きメモ用紙ホルダー。
【０００９】
（６）  前記付勢部材は、ばね部材であり、一端側が前記ホルダー本体に固定され、他端側が前記蓋体内面に当接可能な自由端となっている上記（１）ないし（５）のいずれかに記載のメモ用紙繰出機能付きメモ用紙ホルダー。
（７）  前記蓋体は、前記メモ用紙排出口と対向する位置にて、前記ホルダー本体に開閉可能に軸支されている上記（１）ないし（６）のいずれかに記載のメモ用紙繰出機能付きメモ用紙ホルダー。
（８）  前記アーム部材は、前記一端に前記支持部に当接可能なストッパー面を備え、該ストッパー面が前記支持部に当接した位置より前記メモ用紙排出口方向側に回動可能である上記（１）ないし（７）のいずれかに記載のメモ用紙繰出機能付きメモ用紙ホルダー。
【００１０】
（９）   前記蓋体は、該蓋体を開いた時、前記ホルダー本体に対して起立可能となっている上記（１）ないし（８）のいずれかに記載のメモ用紙繰出機能付きメモ用紙ホルダー。
（１０）  前記蓋体は、中央に膨出部を有し、該膨出部の内面に前記アーム部材の一端を軸支する前記支持部を備えている上記（１）ないし（９）のいずれかに記載のメモ用紙繰出機能付きメモ用紙ホルダー。
（１１）  前記高摩擦抵抗部は、ゴムもしくは高摩擦抵抗表面を有するエラストマーにより形成されている上記（１）ないし（１０）のいずれかに記載のメモ用紙繰出機能付きメモ用紙ホルダー。
【００１１】
（１２）   前記蓋体は、図案化された形態および／または表面に図案が付されたものとなっている上記（１）ないし（１１）のいずれかに記載のメモ用紙繰出機能付きメモ用紙ホルダー。
（１３）  前記ホルダー本体は、前記メモ用紙排出口を閉塞せず、かつ前記回動部材の前記最上層のメモ用紙への接触および前記アーム部材の回動を阻害しないように設けられた覆い片を有し、該覆い片は、図案化された形態および／または表面に図案が付されたものとなっている上記（１）ないし（１２）のいずれかに記載のメモ用紙繰出機能付きメモ用紙ホルダー。
【００１２】
（１４）  一端にメモ用紙排出口を有し、複数枚のメモ用紙を収納可能なメモ用紙収納部を備えたホルダー本体と、前記ホルダー本体に開閉可能に軸支された蓋体とを備えるメモ用紙ホルダーであって、前記メモ用紙ホルダーは、前記ホルダー本体と前記蓋体との間に位置し、前記蓋体を閉じた時に、前記蓋体が前記ホルダー本体より離間する方向に付勢し、かつ、前記蓋体と前記ホルダー本体の周縁部に間隙を形成する付勢部材を備え、前記蓋体は、内面側に設けられた支持部に一端が軸支され、かつ、前記メモ用紙排出口方向に回動可能なアーム部材と、前記アーム部材の他端に一端が軸支された回動部材とを備え、該回動部材は、該回動部材の前記一端側に設けられ、前記メモ用紙との接触時に高い摩擦抵抗を示す高摩擦抵抗部と、前記一端側から前記他端側に延びかつ下方に膨出する紙押え部とを備え、前記回動部材は、前記一端側に形成された薄肉部と、該薄肉部と連続して前記他端側に延び、かつ前記メモ用紙との接触面側に膨出する前記紙押え部を備えるものであり、前記高摩擦抵抗部は、前記薄肉部の前記メモ用紙との接触面側に設けられており、前記紙押え部は、所定幅を有し、かつ前記メモ用紙との接触面側に設けられた円弧状表面を備え、かつ、前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するものであり、前記メモ用紙ホルダーは、前記蓋体を閉じた時、前記アーム部材に軸支された前記回動部材の前記高摩擦抵抗部が前記メモ用紙収容部に収納された前記最上層のメモ用紙の上面に接触するとともに前記紙押え部も前記最上層のメモ用紙に接触し、前記蓋体を前記付勢部材に抗して前記ホルダー本体方向に押下することにより前記アーム部材が回動するとともに、前記回動部材の前記高摩擦抵抗部が前記メモ用紙収容部に収納されている最上層のメモ用紙に当接した状態にて前記メモ用紙排出口方向に移動し、前記メモ用紙収容部に収納されている最上層のメモ用紙を前記高摩擦抵抗部の移動距離分繰り出すものであり、かつ、前記蓋体の前記ホルダー本体方向への押下を解除することにより、前記メモ用紙の繰り出し状態が維持されるものであるメモ用紙繰出機能付きメモ用紙ホルダー。
【００１３】
（１５）  前記回動部材は、前記蓋体を閉じた時、前記高摩擦抵抗部が前記メモ用紙排出口側となり前記紙押え部が前記メモ用紙排出口の反対側を向く状態にて、前記メモ用紙収容部に収納されている前記最上層のメモ用紙に接触するとともに、前記メモ用紙排出口側に押された前傾姿勢となるものである上記（１４）に記載のメモ用紙繰出機能付きメモ用紙ホルダー。
（１６）  前記アーム部材は、前記一端に前記支持部に当接可能なストッパー面を備え、該ストッパー面が前記支持部に当接した位置より前記メモ用紙排出口方向側に回動可能である上記（１４）または上記（１５）に記載のメモ用紙繰出機能付きメモ用紙ホルダー。
【考案の効果】
【００１４】
この考案によれば、ホルダー本体と蓋体との間に前記蓋体を閉じた時に、前記蓋体が前記ホルダー本体より離間する方向に付勢し、かつ、前記蓋体と前記ホルダー本体の周縁部に間隙を形成する付勢部材を備え、前記蓋体の内面側に設けられた支持部に軸支され、前記メモ用紙排出口方向に回動可能なアーム部材と、前記アーム部材の他端に一端が軸支された回動部材とを備え、該回動部材は、該回動部材の前記一端側に設けられ、高摩擦抵抗部と前記一端側から前記他端側に延びかつ下方に膨出する紙押え部とを備え、前記蓋体を閉じた状態にて、前記蓋体を前記ホルダー本体方向に押すことにより、前記メモ用紙収容部に収納されている最上層のメモ用紙を前記メモ用紙排出口方向に送り出すメモ用紙繰出機能を有するので、アーム部材のメモ用紙排出口方向への回動と、蓋体に備えた回動部材の高摩擦抵抗部と紙押え部との相乗作用によりメモ用紙の枚数の増減にかかわらず複数枚のメモ用紙の最上層のメモ用紙を一枚づつかつ次第に繰り出させることができる。
【００１５】
この考案によれば、前記蓋体を閉じた時、前記アーム部材に軸支された前記回動部材の前記高摩擦抵抗部が前記最上層のメモ用紙の上面に接触するとともに前記紙押え部も前記最上層のメモ用紙に接触し、前記蓋体を前記付勢部材に抗して前記ホルダー本体方向に押下することにより前記アーム部材が回動するとともに、前記回動部材の前記高摩擦抵抗部が最上層のメモ用紙に当接した状態にて前記メモ用紙排出口方向に移動し、最上層のメモ用紙を前記高摩擦抵抗部の移動距離分繰り出すもので、前記アーム部材が前記メモ用紙排出口方向に回動されるときに高摩擦抵抗部により最上層のメモ用紙をメモ用紙排出口方向へ繰り出すとともに紙押え部がメモ用紙に接することにより最上層のメモ用紙を円滑に繰り出しできる。
また、前記蓋体の前記ホルダー本体方向への押下を解除することにより、前記メモ用紙の繰り出し状態が維持される。そしてその状態で蓋体を押下げを繰り返して最上層のメモ用紙を次第に繰り出すことができる。
【００１６】
この考案によれば、前記回動部材は、前記一端側に形成された薄肉部と、該薄肉部と連続して前記他端側に延び、かつ前記メモ用紙との接触面側に膨出する前記紙押え部を備えるものであり、前記高摩擦抵抗部は、前記薄肉部の前記メモ用紙との接触面側に設けられており、前記紙押え部は、所定幅を有し、かつ前記メモ用紙との接触面側に設けられた円弧状表面を備えているから、アーム部材のメモ用紙排出口方向への回動と、メモ用紙に薄肉部に表面に設けた高摩擦抵抗部と紙押え部の円弧状表面がメモ用紙に接することにより、メモ用紙を円滑にメモ用紙排出口方向へ繰り出しできる。
また、この考案によれば、前記回動部材は、前記蓋体を閉じた時、前記高摩擦抵抗部が前記メモ用紙排出口側となり前記紙押え部が前記メモ用紙排出口の反対側を向く状態にて、前記最上層のメモ用紙に接触するとともに、前記メモ用紙排出口側に押された前傾姿勢となるから、高摩擦抵抗部によりメモ用紙をメモ用紙排出口方向へ繰り出す力が働くとともに後部の紙押え部も前傾姿勢でメモ用紙に接してメモ用紙排出口方向へ押し出す力が働くので、メモ用紙を確実に繰り出しできる。前記アーム部材は、前記一端に前記支持部に当接可能なストッパー面を備え、該ストッパー面が前記支持部に当接した位置より前記メモ用紙排出口方向側に回動可能であるから前記アーム部材の先端に軸支した前記回動部材が前記メモ用紙排出口方向側へメモ用紙に沿って移動される。
【００１７】
この考案によれば、前記回動部材は、前記紙押え部が下面に円弧状に膨出形成され、しかも前記紙押え部は前記薄肉部と前記高摩擦抵抗部との厚みよりも大きく膨出した形状としたので、アーム部材のメモ用紙排出口方向へ回動されるとき、メモ用紙の上面に高摩擦抵抗部と紙押え部の下面が接して前傾状態となり、メモ用紙の２点に接して円滑にメモ用紙排出口側へ繰り出しできる。
すなわち、弾性体の高摩擦抵抗部の接地面がメモ用紙に高摩擦抵抗で接触するとともに該高摩擦抵抗部の接地面から離れた後方の紙押え部の自重による接地面がメモ用紙に接触され、紙押え部は前記アーム部材の先端の軸を支点として回動しようとする力がかかるので、メモ用紙を一枚づつかつ次第に繰り出すことができる。
この考案によれば、前記アーム部材は、一端にストッパー面を設け、一端のストッパー面が前記支持部の内面に当接した位置より繰り出し方向にのみ回動可能としたので、蓋体をホルダー本体に被せるとき、前記アーム部材は一端の軸を支点としてメモ用紙排出口方向に開いて移動させることができ、それに吊り下げた回動部材をメモ用紙排出口側へ移動できる。
【００１８】
この考案によれば、前記蓋体は、図案化された形態および／または表面に図案が付されたものとなっているので、需要者の興趣を増大でき、商品価値を向上できる。
また、この考案によれば、前記ホルダー本体は、覆い片を有し、覆い片は、図案化された形態および／または表面に図案が付されたものとなっているので、需要者の興趣を増大でき、商品価値を向上できる。
前記蓋体に、動物の顔、キャラクターの顔等を表示し、或いは蓋体に動物の顔を表し、かつ前記ホルダー本体の覆い片に動物の耳を設けて、蓋体をホルダー本体に被せると動物の顔となり、蓋体を押すことによりあたかも動物の口からメモ用紙が排出される形態となるので、需要者の興趣を増大でき、商品価値を向上できる。
【考案を実施するための最良の形態】
【００１９】
この考案のメモ用紙繰出機能付きメモ用紙ホルダーの実施形態を図面に基づいて説明する。図１は、この考案のメモ用紙繰出機能付きメモ用紙ホルダーの蓋体を開いて示す斜視図、 図２は、蓋体をホルダー本体に被せた状態の斜視図、図３は、回動部材を分解した斜視図、図４は、この考案のメモ用紙繰出機能付きメモ用紙ホルダーを示す断面図、図５は、蓋体を被せて回動部材がメモ用紙に接地する状態を示す断面図、図６は、蓋体をホルダー本体に対して手、指で押し下げてメモ用紙を繰り出す状態の断面図、図７は、蓋体をホルダー本体に対して押し下げるときの蓋体、アーム部材、回動部材等の動作状態を示す説明図、図８は、この考案の別の実施形態を示すもので、動物の顔を描いた蓋体を閉じた状態のメモ用紙繰出機能付きメモ用紙ホルダーの斜視図、図９は、図８のメモ用紙繰出機能付きメモ用紙ホルダーの蓋体を開いた状態の斜視図である。
【００２０】
図１ないし図７において、１は合成樹脂、木製等のホルダー本体で、２はそれに被せる合成樹脂、木製等の蓋体であり、ホルダー本体１には一端にメモ用紙排出口を有する複数枚のメモ用紙Ｐを収容可能なメモ用紙収容部３が備えられ、蓋体２が前記ホルダー本体１に開閉可能に軸支される。前記ホルダー本体１は円形または楕円形の板状体であり、前記蓋体２は、円形または楕円形の板状体である。前記蓋体２の上面は球面状に形成されて、手を被せて蓋体を押圧しやすくするのが好ましい。
前記ホルダー本体１は、一端１ａに上面が開口３ａされかつ一端にメモ用紙排出口３ｂが設けられたメモ用紙収容部３が形成されている。前記メモ用紙収容部３は、所定枚数の束を収容する深さと広さを有する凹状に形成されている。前記メモ用紙収容部３とメモ用紙Ｐは四角形であり、メモ用紙Ｐはメモ用紙収容部３より若干小さい寸法とし、かつメモ用紙Ｐは多数枚重ねたものである。
また、前記メモ用紙収容部３のメモ用紙排出口３ｂの下面は出口に向かって上向きに傾斜した傾斜面３ｃとしてある。傾斜面３ｃは出口側を若干高くしてメモ用紙を収容したとき、メモ用紙の前部が若干上向きとなるようにしてある。メモ用紙収容部３の出口に傾斜面３ｃを設けたので、後述の回動部材１５でメモ用紙Ｐを繰り出すときに、回動部材１５の高摩擦抵抗部１９と紙押え部１８により押されるとき、メモ用紙Ｐを一枚づつ的確に繰り出すことができ、回動部材１５でメモ用紙を繰り出す時に滑るのを防ぐことができる。
前記メモ用紙Ｐは通常のメモを書く用紙であるが、白紙に限らず、メモ用紙には、ホルダー本体１と蓋体２のキャラクター、模様、形状等に併せた図案、文章等を印刷したものでも良い。また、メモ用紙にくじなどを印刷して興趣を増大できるものでもよい。ホルダー本体１と蓋体２にはキャラクターの顔等形状、模様、装飾を表示するのが好ましい。
【００２１】
前記蓋体２は、前記メモ用紙排出口３ｂと対向する位置にて、前記ホルダー本体１に開閉可能に軸支されている。前記蓋体２は、該蓋体を開いた時、前記ホルダー本体１に対して起立可能となっている。前記ホルダー本体１と蓋体２はほぼ同じ形状として、蓋体２をホルダー本体１に対して被せた状態又は蓋体を開いてホルダー本体１に対して起立状態とする。ホルダー本体１と蓋体２は、前記メモ用紙排出口３ｂが一端に設けられ、それと対向する側を基端側として、基端側で蓋体２がホルダー本体１に軸支される。
前記蓋体２は基端側の内面に設けた蓋体側支持部５が前記ホルダー本体１の他端部１ｂの上面に備えたホルダー本体側支持部４に軸６で軸支されて前記ホルダー本体１に対して被せ又は起立可能とされる。前記蓋体２は、表面が球面状に形成され、内面に前記アーム部材１０の一端を軸支する前記支持部９を備えている。前記蓋体２の内面中央は平坦な円形部を設けて、断面コ字型の支持部９が固定されている。
ホルダー本体１には、基端側に一対のホルダー本体側支持部４が一体形成され、該ホルダー本体側支持部４の間に蓋体２の基端の蓋体側支持部５が挿入される。該ホルダー本体側支持部４と蓋体側支持部５に軸６を挿入して蓋体２を前記ホルダー本体１に対して被せ又は起立可能としてある。
【００２２】
この考案のメモ用紙繰出機能付きメモ用紙ホルダーは、一端にメモ用紙排出口を有し、複数枚のメモ用紙を収納可能なメモ用紙収納部３を備えたホルダー本体１と、前記ホルダー本体１に開閉可能に軸支された蓋体２とを備えるメモ用紙ホルダーであって、
前記メモ用紙ホルダーは、前記ホルダー本体１と前記蓋体２との間に位置し、前記蓋体を閉じた時に、前記蓋体が前記ホルダー本体より離間する方向に付勢し、かつ、前記蓋体と前記ホルダー本体の周縁部に間隙を形成する付勢部材７を備え、
前記蓋体２は、内面側に設けられた支持部９に一端が軸支され、かつ、前記メモ用紙排出口方向に回動可能なアーム部材１０と、前記アーム部材１０の他端に一端が軸支された回動部材１５とを備え、該回動部材１５は、該回動部材の前記一端側に設けられ、前記メモ用紙との接触時に高い摩擦抵抗を示す高摩擦抵抗部１９と、前記一端側から前記他端側に延びかつ下方に膨出する紙押え部１８とを備え、前記蓋体２を閉じた状態にて、前記蓋体２を前記ホルダー本体方向に押すことにより、前記メモ用紙収容部３に収納されている前記複数枚のメモ用紙Ｐの最上層のメモ用紙Ｐ１を前記メモ用紙排出口方向に送り出すメモ用紙繰出機能を有する。
【００２３】
前記メモ用紙ホルダーは、前記ホルダー本体１と前記蓋体２との間に位置し、前記蓋体２を閉じた時に、前記蓋体２が前記ホルダー本体１より離間する方向に付勢し、かつ、前記蓋体２と前記ホルダー本体１の周縁部に間隙を形成する付勢部材７を備えている。
付勢部材７はホルダー本体１の他端１ｂの上面で前記ホルダー本体側支持部４のメモ用紙収納部３側に備えられている。
前記ホルダー本体１には、前記ホルダー本体１と前記蓋体２との間に付勢部材７が設けられ、前記蓋体２を閉じた時に、前記蓋体２が前記ホルダー本体１より離間する方向に付勢される。該付勢部材７で前記蓋体２とホルダー本体１の周縁部との間に間隙を存して前記蓋体２を受け止めるとともに常時復帰方向に付勢されている。
前記付勢部材７は、ばね部材であり、一端側が前記ホルダー本体に固定され、他端側が前記蓋体内面に当接可能な自由端となっている。付勢部材７として、例えば帯状で上部を繰り出し方向に湾曲状とした板ばね部材７を用い、その基部が前記ホルダー本体１の他端部１ｂの支持部４の前面位置に設けた孔８に差し込み固定されている。板ばね部材７は基端の固定部を支点として自由端を繰り出し方向へ折り曲げ可能とする。
板ばね部材７の長さは、蓋体２を被せたとき、蓋体２がホルダー本体１とほぼ平行に受け止められるようにするのが好ましい。前記付勢部材７は、付勢力が前記蓋体の自重とほぼ同じ、または自重より小さく設定されている。該板ばね部材７で受け止めて前記蓋体と前記ホルダー本体の周縁部に間隙が構成される。前記蓋体と前記ホルダー本体の周縁部に間隙は蓋体２を付勢部材７に抗してホルダー本体側に押し下げ、メモ用紙をメモ用紙排出口方向に送り出すために必要な間隙をあける。
蓋体２を軸６を支点として倒してホルダー本体１に被せたとき、蓋体２は付勢部材７により受け止められる。付勢部材７は蓋体２の自重により荷重がかかって湾曲された状態で蓋体２を受け止める。蓋体２の自重により板ばね部材７が若干付勢された状態で蓋体２がホルダー本体１にほぼ平行となって板ばね部材７で保持されるのが好ましい。付勢部材として、板ばね部材を示したが、これに限るものではなく、ゴム等の弾性材でもよい。  
【００２４】
前記蓋体２は、内面側に設けられた支持部９に一端が軸支され、かつ、前記メモ用紙排出口方向に回動可能なアーム部材１０と、前記アーム部材１０の他端に一端が軸支された回動部材１５とを備え、該回動部材１５は、該回動部材１５の前記一端側に設けられ、前記メモ用紙Ｐとの接触時に高い摩擦抵抗を示す高摩擦抵抗部１９と、前記一端側から前記他端側に延びかつ下方に膨出する紙押え部１８とを備え、前記蓋体２を閉じた状態にて、前記蓋体２を前記ホルダー本体方向に押すことにより、前記メモ用紙収容部３に収納されている複数のメモ用紙Ｐの最上層のメモ用紙Ｐ１を前記メモ用紙排出口方向に送り出すメモ用紙繰出機能を有する。
【００２５】
前記アーム部材１０は、前記蓋体２の内面中央部付近に固定した支持部９に一端１０ａが軸支されて回動可能に軸支されている。
前記アーム部材１０は合成樹脂であり、前記断面コ字型の支持部９には両側に孔９ａが設けられ、前記アーム部材１０の一端の両側に軸１１が回動自由に軸支されている。
実施形態の前記アーム部材１０は、２本の棒状体９ａを平行として中央部９ｂで連結して「Ｈ」型に構成され、その一端部（上端部）の両側に軸１１が一体に設けられ、かつ他端部（下端部）に貫通孔１２が設けられ、軸１３が設けられる。前記アーム部材１０の一端部の両側の軸１１は、アーム部材の弾性を利用して前記支持部９の両側の孔９ａに挿入して回動自由に軸支されている。
【００２６】
前記アーム部材１０は、前記一端に前記支持部に当接可能なストッパー面１４を備え、該ストッパー面１４が前記支持部９に当接した位置より前記メモ用紙排出口方向側に回動可能である。前記アーム部材１０は、一端のストッパー面１４が前記支持部９の内面に当接した位置より繰り出し方向にのみ回動可能とされている。前記アーム部材１０は、一端が山形とされ、その山形の片面がストッパー面１４とされている。アーム部材１０のストッパー面１４が支持部９の内面に当接して受け止められる。アーム部材１０は支持部９の内面に対する角度は、鋭角であり、約５０〜７０度の角度が好ましい。実施形態では、アーム部材１０の一端に傾斜状のストッパー面を設けたが、所定角度で支持部９に受け止められるストッパーを設けてもよい。
蓋体２をホルダー本体１に対して被せて押圧してアーム部材１０の他端部に軸支した前記回動部材１５がメモ用紙Ｐに接地すると、以後アーム部材１０が支持部９の軸１１を支点としてメモ用紙排出口方向にのみ回動して開き、アーム部材１０の先端を繰り出し方向に移動させる。
前記アーム部材１０の他端部に設けた前記軸１３に前記回動部材１５の上部の設けた軸支部１６が回動自由に軸支される。この構造によれば、蓋体を押圧する力は、メモ用紙を軽く押さえる力と、前記回動部材１５をメモ用紙排出方向の力となり、メモ用紙を軽く押さえながらメモ用紙排出口方向へ繰り出す。
【００２７】
前記メモ用紙ホルダーは、前記蓋体２を閉じた時、前記アーム部材１０に軸支された前記回動部材１５の前記高摩擦抵抗部１９が前記メモ用紙収容部３に収納された複数のメモ用紙Ｐの前記最上層のメモ用紙Ｐ１の上面に接触するとともに前記紙押え部１８も前記最上層のメモ用紙Ｐ１に接触し、前記蓋体２を前記付勢部材７に抗して前記ホルダー本体方向に押下することにより前記アーム部材１０が回動するとともに、前記回動部材１５の前記高摩擦抵抗部１９が前記メモ用紙収容部３に収納されている最上層のメモ用紙Ｐ１に当接した状態にて前記メモ用紙排出口方向に移動し、前記メモ用紙収容部３に収納されている最上層のメモ用紙Ｐ１を前記高摩擦抵抗部１９の移動距離分繰り出すものであり、かつ、前記蓋体の前記ホルダー本体方向への押下を解除することにより、前記メモ用紙の繰り出し状態が維持されるものである。
【００２８】
前記回動部材１５は、前記一端側に形成された薄肉部１７と、該薄肉部１７と連続して前記他端側に延び、かつ前記メモ用紙との接触面側に膨出する前記紙押え部１８を備えるものであり、前記高摩擦抵抗部１９は、前記薄肉部１７の前記メモ用紙との接触面側に設けられており、前記紙押え部１８は、所定幅を有し、かつ前記メモ用紙との接触面側に設けられた円弧状表面１８ａを備えている。
前記回動部材１５は、前記蓋体２を閉じた時、前記高摩擦抵抗部１９が前記メモ用紙排出口側となり前記紙押え部１８が前記メモ用紙排出口の反対側を向く状態にて、前記メモ用紙収容部３に収納されている前記最上層のメモ用紙Ｐ１に接触する。そして、前記回動部材１５は、前記メモ用紙排出口側に押された前傾姿勢となる。
【００２９】
前記回動部材１５は、上部の軸支部１６と、前部の薄肉部１７と、該薄肉部１７と連続して前記他端側に延び、かつ下方に膨出する円弧状表面１８ａとした紙押え部１８とを備え、かつ前記薄肉部１７の下面に固着した高摩擦抵抗部１９を設けたものである。上部の軸支部１６は回動部材１５の前端近くの上面に設けられ、該軸支部１６には貫通孔１６ａが設けられ、前記アーム部材１０の他端部（下端部）の軸１３に回動自由に軸支される。前記回動部材１５の幅はメモ用紙を繰り出すために必要な幅とする。前記回動部材１５の幅は、例えばメモ用紙Ｐの幅の約３分の１、４分の１である。
前記回動部材１５の紙押え部１８は、前記メモ用紙との接触面（下面）を円弧状表面１８ａとし、アーム部材１０に吊り下げた回動部材１５が降下するとき、円弧状表面１８ａの後部から接地され、かつ接地後に、回動部材１５の上部の軸支部１６の軸１３を支点として回動して円弧状表面１８ａの前部がメモ用紙Ｐに接地するようにしてある。 前記回動部材１５は、上面前端寄りに設けた上部軸支部１６がアーム部材１０の軸１３で軸支され、常時矢印の方向に後部の紙押え部１８の自重による力がかかっているので、前部の薄肉部１７の下面の高摩擦抵抗部１９がメモ用紙Ｐに接地するとともに、後部の紙押え部１８の自重による力で接触してメモ用紙をメモ用紙排出口側へ押し出す力が働いている。
前記蓋体２の前記ホルダー本体方向への押下を解除すると、蓋体２が付勢部材７の復元力で上方へ付勢されているので、アーム部材１０、回動部材１５はメモ用紙の上を滑るように戻される。このときメモ用紙には摩擦抵抗がかからないので、メモ用紙が戻ることはない。
【００３０】
実施形態の前記回動部材１５は、上部の軸支部１６が前記アーム部材１０の他端１０ｂの平行なアームの間に挿入され、軸支部１６の貫通孔１６ａとアーム部材１０の貫通孔１２を合わせて軸１３が設けられる。軸１３はアームの貫通孔１２に固定され、回動部材１５の上部の軸支部１６は該軸１３に回動自由に備えられる。すなわち、回動部材１５は前記アーム部材１０の下端部に回動自由に吊り下げ状態とされている。
前部の薄肉部１７は板状とし、前記紙押え部１８は下面を円弧状表面１８ａとされ、板状薄肉部１７に連続して紙押え部１８とを一体に形成してあり、前記上部の軸支部１６が薄肉部１７の後部と紙押え部１８の前部との上面位置に一体に設けられている。
前記回動部材１５は、前記板状薄肉部１７と紙押え部１８の上面は直線上であり、前記紙押え部１８は下面が円弧状に膨出形成される。前記紙押え部１８は前記板状薄肉部１７と前記高摩擦抵抗部１９との高さよりも高くしてある。
前記高摩擦抵抗部１９は、ゴムもしくは高摩擦抵抗表面を有するエラストマーにより形成され、前記薄肉部１７の前記メモ用紙との接触面側（下面側）に接着されている。実施形態では前記高摩擦抵抗部１９として、断面四角形の角柱状のゴムが前記板状薄肉部１７の下面に接着されている。前記回動部材１５は、蓋体２をホルダー本体１に被せると、蓋体２の自重により、或いは蓋体２を手、指で押し下げるとき、前記アーム部材１０の他端の軸支部を支点として紙押え部１８側が矢印方向に回動され、前記高摩擦抵抗部１９がメモ用紙収容部のメモ用紙の上面に当接するとともに前記紙押え部１８の円弧状表面１８ａがメモ用紙収容部３のメモ用紙Ｐに線接触して常時前傾姿勢となる。
【００３１】
図４ないし図７に示すように、蓋体２をホルダー本体１に被せると、軸６のＡ点を支点として倒され、蓋体２の自重で付勢部材７に抗して押し下げられ、支持部９の軸１１のＢ点がＢ’点に回動されて蓋体２は距離Ｌだけ押し下げられる。そして、アーム部材１０の先端に吊り下げた回動部材１５は、２点鎖線で示すように、回動部材１５の紙押え部１８の円弧状表面の後部よりメモ用紙Ｐ上に接地し、メモ用紙の上で回動部材１５はアーム部材１０の先端の軸支部１６の軸を支点として回動して紙押え部１８の円弧状表面１８ａの後部が上がり、回動部材１５が前傾状態となり、回動部材１５の先端の高摩擦抵抗部１９が接地する。回動部材１５は先端の高摩擦抵抗部１９の接地面Ｄと後部の紙押え部１８の接地面Ｅの２点で最上層のメモ用紙Ｐ１に接地し、メモ用紙Ｐ１に高摩擦抵抗部１９の摩擦抵抗によりメモ用紙排出口側へ移動させる力がかかるとともに紙押え部１８の自重がかかることにより、軸支部１６のＣ点がＣ’点に移動して高摩擦抵抗部１９の移動距離分Ｌ１だけ最上層のメモ用紙Ｐ１が繰り出される。
アーム部材１０の先端に吊り下げた回動部材１５がホルダー本体１のメモ用紙収納部３のメモ用紙Ｐに接地したとき、アーム部材１０は蓋体２の前記支持部９の内面に対して所定角度α、例えば、約３０〜５０度となる。
図６、図７に示すように、この状態で蓋体２を手、指で例えば距離Ｌだけ押し下げると、アーム部材１０が蓋体２に対して所定角度αの位置からメモ用紙排出口方向へ回動されて蓋体２のなす角度が小さくなり、アーム部材１０は先端が繰り出し方向へ移動される。このアーム部材１０の先端の移動に伴い、先端に吊り下げた前記回動部材１５で、高摩擦抵抗部１９の移動距離分Ｌ１づつ最上層のメモ用紙Ｐ１が繰り出される。
前記蓋体２の前記ホルダー本体方向への押下を解除することにより、前記メモ用紙の繰り出し状態が維持されるものである。蓋体２が付勢部材７の復元力で上方へ付勢されているので、前記蓋体２の前記ホルダー本体方向への押下を解除すると、付勢部材７の復元力で蓋体２のアーム部材１０、回動部材１５はメモ用紙の上を滑るように戻される。従って、繰り出した位置にあるメモ用紙が戻ることはない。繰り出したメモ用紙は蓋体の次の押下げで、その位置より高摩擦抵抗部１９の移動距離分Ｌ１だけ繰り出される。
【００３２】
この考案のメモ用紙繰出機能付きメモ用紙ホルダーは前記した構造としたので、蓋体をホルダー本体に対して被せると、アーム部材がメモ用紙排出口方向へ回動され、前記回動部材１５がメモ用紙に当接してから蓋体の自重で付勢部材７を折り曲げて降下したストロークにより最上層のメモ用紙Ｐ１が繰り出される。ついで、蓋体２の上面を手の指などで押し下げることにより、前記アーム部材１０はメモ用紙排出口方向に回動され、前記アーム部材１０の先端に軸支されている回動部材１５がメモ用紙Ｐに当接して前記のように最上層のメモ用紙Ｐ１が繰り出される。
手、指を離して蓋体の押圧を解除すると、蓋体２は付勢部材７の付勢力で戻される。前記蓋体２の前記ホルダー本体方向への押下を解除することにより、アーム部材１０、回動部材１５が戻されるが、前記メモ用紙は繰り出し状態が維持される。
蓋体２が付勢部材７により上方に戻された状態で、蓋体２を押すことを繰り返すことにより繰り出し状態の最上層のメモ用紙Ｐ１を繰り出し位置よりさらに繰り出す。これを繰り返して、メモ用紙が一枚づつ取り出され、そして、次に最上層となるメモ用紙が順に繰り出される。
この考案のメモ用紙繰出機能付きメモ用紙ホルダーによれば、メモ用紙が少なくなってもアーム部材のメモ用紙排出口方向へ回動と、高摩擦抵抗部１９と紙押え部１８の相乗作用で確実に繰り出すことができる。
メモ用紙を入れる場合には蓋体２を起立させて開放し、メモ用紙収納部３に斜め上方よりメモ用紙の束を簡単に入れることができる。
【００３３】
図８および図９に示す実施形態では、前記蓋体２は、図案化された形態および／または表面に図案が付されたものとなっている。
前記ホルダー本体１は、前記メモ用紙排出口を閉塞せず、かつ前記回動部材の前記最上層のメモ用紙への接触および前記アーム部材の回動を阻害しないように設けられた覆い片２０を有する。該覆い片２０は、図案化された形態および／または表面に図案が付されたものとなっている。
前記ホルダー本体１と前記蓋体２はほぼ同じ大きさの円形或いは楕円であり、前記蓋体２には、動物の顔の図案２２を表し、かつホルダー本体１にはその動物の耳の図案が表されている。実施例では蓋体２に猫の顔２２の部分、ホルダー本体１に猫の耳部分を設けてある。
前記覆い片２０は紙製板紙で、前記ホルダー本体１のメモ用紙収容部３の後部と両側を囲って固着してある。覆い片２０は、メモ用紙収容部側にメモ用紙収容部３の幅より若干狭い開口部２０ａを有し、かつメモ用紙収容部の対向側の外周に前記ホルダー本体１の外周より左右に突出して耳の形状の突状片２１が設けられている。前記覆い片２０は前記ホルダー本体１のメモ用紙収容部３の後部の周囲に被せるとともに耳の形状の突状片２１がホルダー本体より突出した状態で接着材等により固着されている。
メモ用紙収容部３の上面に覆い片２０を設けることにより、収容部３と覆い片２０との間にメモ用紙を入れることができる。覆い片２０がメモ用紙Ｐの後部と両側の周囲を覆い、メモ用紙がメモ用紙収容部から上方へ出ないようにしてある。
ホルダー本体１を蓋体２に被せることにより、蓋体２の表面に表示した動物の顔の一部と、ホルダー本体１に設けた覆い片２０の外周に突出して形成された突状片２１にその動物の顔の一部が表示され、蓋体の動物の一部とホルダー本体１の覆い片の動物の一部とが合わされて動物の顔となり、蓋体を押すことにより、あたかも動物の口からメモ用紙が繰り出されるようになるので、需要者、特に子供の興趣を向上できる。
【００３４】
この考案のメモ用紙繰出機能付きメモ用紙ホルダーのメモ用紙を繰り出す作用について説明する。
蓋体２を開いてホルダー本体１のメモ用紙収納部３に上方より複数枚のメモ用紙を収納する。
蓋体２をホルダー本体１に対して支持部を支点として回動して倒すことにより、蓋体２の内面側に備えたアーム部材１０とその先端に軸支した回動部材１５の自重によりアーム部材１０のストッパー面１４が支持部９の内面に当接された状態で降下する。
そして、アーム部材１０の先端に軸支した回動部材１５の下面がメモ用紙収納部３のメモ用紙Ｐの上面に当接して蓋体２が付勢部材７で受けて保持した状態とされる。このとき、蓋体２の自重によりアーム部材に下方への分力とメモ用紙排出方向への分力が働き、アーム部材がメモ用紙排出口方向へ回動され、アーム部材の先端に軸支されている回動部材１５がメモ用紙排出口方向へ移動され、それに伴ってメモ用紙が繰り出される。
ついで、蓋体２の上面を手、指などで付勢部材７に抗して押し下げることにより、アーム部材に下方への分力とメモ用紙排出口方向への分力が働き、アーム部材がメモ用紙排出口方向へ回動され、アーム部材の先端に軸支されている回動部材１５がメモ用紙排出口方向へ移動され、それに伴ってメモ用紙が繰り出される。
手、指を離すと、蓋体２は付勢部材７の付勢力で戻される。このとき、繰り出したメモ用紙が戻ることはない。
蓋体２が上方位置に戻ったところで、蓋体２を押すことを繰り返すことによりメモ用紙を次第に繰り出すことができる。これを繰り返して、メモ用紙を一枚づつ取り出して使用する。
この考案によれば、高摩擦抵抗部の接地面の摩擦抵抗でメモ用紙を送り出すとともに後方の紙押え部１８による接地面がメモ用紙を排出側へ送り出す補助的作用をするので、最上層のメモ用紙Ｐ１を的確に次第に繰り出すことができる。メモ用紙収容部のメモ用紙が少なくなっても最上層のメモ用紙を円滑に繰り出すことができる。
【００３５】
以上の実施形態を示したが、この考案はこの形態に限定されるものではなく、この考案の要旨を逸脱しない範囲で、種々の形態を実施しうるものである。実施形態では円形の場合と、円形で動物の形態の場合を示したがこれに限るものではなく、例えば、ハンバーグの形態とすることも可能である。また、メモ用紙の繰り出しに使用する場合を説明したが、例えば四角形のくじを収納してくじを繰り出すようにすることもできる。
【図面の簡単な説明】
【００３６】
【図１】図１は、この考案のメモ用紙繰出機能付きメモ用紙ホルダーの蓋体を開いて示す斜視図である。
【図２】図２は、蓋体をホルダー本体に被せた状態の斜視図である。
【図３】図３は、回動部材を分解した斜視図である。
【図４】図４は、この考案のメモ用紙繰出機能付きメモ用紙ホルダーを示す断面図である。
【図５】図５は、蓋体を被せて回動部材がメモ用紙に接地する状態を示す断面図である。
【図６】図６は、蓋体をホルダー本体に対して手、指で押し下げてメモ用紙を繰り出す状態の断面図である。
【図７】図７は、蓋体をホルダー本体に対して押し下げるときの蓋体、アーム部材、回動部材等の動作状態を示す説明図である。
【図８】図８は、この考案の別の実施形態を示すもので、動物の顔を描いた蓋体を閉じた状態のメモ用紙繰出機能付きメモ用紙ホルダーの斜視図である。
【図９】図９は、図８のメモ用紙繰出機能付きメモ用紙ホルダーの蓋体を開いた状態の斜視図である。
【符号の説明】
【００３７】
１  ホルダー本体
２  蓋体
３  メモ用紙収容部
４  ホルダー本体側支持部
５  蓋体側支持部
７  付勢部材
９  支持部
１０  アーム部材
１１  軸
１３  軸
１４  ストッパー面
１５  回動部材
１６  軸支部
１７  薄肉部
１８  紙押え部
１９  高摩擦抵抗部
２０  覆い片
Ｐ  メモ用紙
Ｐ１  最上層のメモ用紙
【図１】
0003147441.tif 000003
【図２】
0003147441.tif 000004
【図３】
0003147441.tif 000005
【図４】
0003147441.tif 000006
【図５】
0003147441.tif 000007
【図６】
0003147441.tif 000008
【図７】
0003147441.tif 000009
【図８】
0003147441.tif 000010
【図９】
0003147441.tif 000011